(57)【要約】【課題】  ＲＦタグの情報を読み取るＲＦリーダの使用可否を判定する技術を提供する。【解決手段】  本実施例の病院情報システムにおいて、ＰＤＡ７０が、患者や薬剤などに付与される識別情報を読み取る。位置情報取得部１００がＰＤＡ７０の位置情報を取得し、機能制限部１０４が取得された位置情報に応じて、ＲＦリーダ７２の機能を制限する。位置情報取得部１００は、ユーザからの位置選択入力を受け付けてもよく、また周辺のアクセスポイントからの信号強度をもとに、現在位置の位置情報を取得してもよい。さらに、患者情報取得部１０２が看護対象となる患者のプロファイル情報を取得し、機能制限部１０４が取得された患者のプロファイル情報に応じて、ＲＦリーダ７２の機能を制限してもよい。【選択図】  図４
2006268585.tif 000002
【特許請求の範囲】
【請求項１】
携帯型の情報処理端末装置であって、
ＲＦタグからの情報を読み取るタグ情報読取手段と、
当該情報処理端末装置の位置情報を取得する位置情報取得手段と、
取得した位置情報に応じて、前記タグ情報読取手段の機能を制限する機能制限手段と、
を備えることを特徴とする情報処理端末装置。
【請求項２】
前記位置情報取得手段は、ユーザから位置選択入力を受け付けることを特徴とする請求項１に記載の情報処理端末装置。
【請求項３】
前記位置情報取得手段は、周辺のアクセスポイントからの信号強度をもとに、現在位置の位置情報を取得することを特徴とする請求項１または２に記載の情報処理端末装置。
【請求項４】
前記機能制限手段は、前記情報処理端末装置が利用される施設内の位置情報と前記タグ情報読取手段の使用可否情報とを対応付けたテーブルを参照して、前記タグ情報読取手段を使用不可の状態にすることを特徴とする請求項１から３のいずれかに記載の情報処理端末装置。
【請求項５】
携帯型の情報処理端末装置であって、
ＲＦタグからの情報を読み取るタグ情報読取手段と、
看護対象となる患者のプロファイル情報を取得する患者情報取得手段と、
取得した患者のプロファイル情報に応じて、前記タグ情報読取手段の機能を制限する機能制限手段と、
を備えることを特徴とする情報処理端末装置。
【請求項６】
識別コードを読み込む識別コード読取手段と、
前記タグ情報読取手段または前記識別コード読取手段のいずれかを選択して使用可能な状態とする切替手段をさらに備え、
前記切替手段は、前記機能制限手段が前記タグ情報読取手段の機能を制限するとき、前記識別コード読取手段を使用可能な状態にすることを特徴とする請求項１から５のいずれかに記載の情報処理端末装置。
【請求項７】
前記切替手段は、前記機能制限手段が前記タグ情報読取手段の機能を制限すると、前記機能制限手段により前記タグ情報読取手段の機能制限が解除されるまで、前記タグ情報読取手段を使用可能な状態にしないことを特徴とする請求項６に記載の情報処理端末装置。
【請求項８】
携帯型の情報処理端末装置であって、
情報を読み取る非接触式の情報読取手段と、
当該情報処理端末装置の使用環境情報を取得する情報取得手段と、
取得した使用環境情報に応じて、前記情報読取手段の機能を制限する機能制限手段と、
を備えることを特徴とする情報処理端末装置。
【発明の詳細な説明】
【技術分野】
【０００１】
本発明は、情報処理端末装置に関し、特に看護現場において医療用資材や患者に付与された識別情報を読み取ることのできる情報処理端末装置に関する。
【背景技術】
【０００２】
医療行為、特に看護行為を管理するためのシステムは、パーソナルコンピュータ（以下、「ＰＣ」という）や、ＰＤＡ（Personal Digital Assistants）等で構成され、それらは、有線あるいは無線のＬＡＮ（Local Area Network）によって接続される。例えば特許文献１に開示されるシステムにおいて、看護師は、情報処理端末装置としてＰＤＡを携帯し、作業予定となっている点滴や注射等の作業予定リストを参照して、患者に対する看護行為を実施する。さらに、看護行為の終了後、看護師はＰＤＡに実施結果を入力する。ＰＤＡは入力された実施結果を病院内情報管理システムに送信し、病院内情報管理システムにて、看護行為の実施内容を管理する。特許文献１では、ＲＦタグから非接触で識別情報を読み込む手段を備えたＰＤＡが開示されている。
【特許文献１】特開２００４−３４８７１７号公報
【発明の開示】
【発明が解決しようとする課題】
【０００３】
特許文献１に開示された技術によると、看護行為を実施している場所で、看護師がＰＤＡを操作して看護内容を確認するので、看護行為のミスを少なくできる。特に薬剤などに付されたＲＦタグに含まれる情報を非接触式の読取手段により読み込むことができるため、ＰＤＡの操作性が向上される。その一方で、ＲＦタグからの情報の読取には無線通信を利用するため、発生する電波が周辺の医療機器の動作に影響を与えないように注意を払う必要がある。
【０００４】
本発明はこうした状況に鑑みてなされたものであり、その目的は、ＲＦタグなどから非接触で情報を読み取る手段の使用の可否を状況に応じて設定する技術を提供することにある。
【課題を解決するための手段】
【０００５】
上記課題を解決するために、本発明のある態様の情報処理端末装置は、携帯型であって、ＲＦタグからの情報を読み取るタグ情報読取手段と、当該情報処理端末装置の位置情報を取得する位置情報取得手段と、取得した位置情報に応じてタグ情報読取手段の機能を制限する機能制限手段とを備える。機能制限手段は、タグ情報読取手段の機能の一部を制限してもよく、また機能の全部を制限してもよい。
【０００６】
タグ情報読取手段は無線通信により情報の読取りを行うが、情報処理端末装置の位置に応じてタグ情報読取手段の機能を制限することで、電波の発生に不適切な場所での情報処理端末装置の使用を制限することが可能となる。
【０００７】
本発明の別の態様もまた、情報処理端末装置である。この情報処理端末装置は、携帯型であって、ＲＦタグからの情報を読み取るタグ情報読取手段と、看護対象となる患者のプロファイル情報を取得する患者情報取得手段と、取得した患者のプロファイル情報に応じて、タグ情報読取手段の機能を制限する機能制限手段とを備える。機能制限手段は、タグ情報読取手段の機能の一部を制限してもよく、また機能の全部を制限してもよい。
【０００８】
タグ情報読取手段は無線通信により情報の読取りを行うが、患者のプロファイル情報に応じてタグ情報読取手段の機能を制限することで、周囲で電波を発生させることが好ましくない患者に対して、情報処理端末装置の使用を制限することが可能となる。
【０００９】
本発明のさらに別の態様もまた、情報処理端末装置である。この情報処理端末装置は、携帯型であって、情報を読み取る非接触式の情報読取手段と、当該情報処理端末装置の使用環境情報を取得する情報取得手段と、取得した使用環境情報に応じて、情報読取手段の機能を制限する機能制限手段とを備える。機能制限手段は、情報読取手段の機能の一部を制限してもよく、また機能の全部を制限してもよい。
【００１０】
情報読取手段は、非接触式であり、情報の読取りに際して電波ないしはレーザ光などを発生させる。そのため、情報読取手段の使用に不適切な時間帯や場所では、この情報読取手段の使用を控えることが好ましいことがある。そこで、情報処理端末装置の使用環境に応じてタグ情報読取手段の機能を制限することで、情報処理端末装置の使用に不適切な環境下での電波やレーザ光などの発生を抑制し、環境に適合した情報処理端末装置の使用を可能とする。
【００１１】
なお、以上の構成要素の任意の組合せ、本発明の表現を方法、装置、システム、記録媒体、コンピュータプログラムなどの間で変換したものもまた、本発明の態様として有効である。
【発明の効果】
【００１２】
本発明によれば、情報読取手段の機能を環境等に応じて制限することで、情報処理端末装置を好適に使用することが可能となる。
【発明を実施するための最良の形態】
【００１３】
図１は、本発明の実施例にかかる病院情報システム１の構成を示す。病院情報システム１は、病院などの医療施設に設置され、メインシステムである病院情報管理システム１０、およびサブシステムである看護支援システム２０を備えて構成される。病院情報管理システム１０および看護支援システム２０の間はＬＡＮ（Local Area Network）１６により通信可能に接続される。図示していないが、ＬＡＮ１６には、医療施設内における他のサブシステム、例えば麻酔の手順を管理する麻酔支援システムや、リハビリ計画を管理するリハビリ支援システムなどが接続されていてもよい。病院情報管理システム１０は、ＬＡＮ１６を介して接続される看護支援システム２０などのサブシステムを一元的に集中管理する機能を有する。
【００１４】
病院情報管理システム１０は、看護支援システム２０などのサブシステムの動作を管理・制御する病院情報管理サーバ１２と、看護支援システム２０などのサブシステムにおいて取得されたデータなどを記録するマスタＤＢ１４を有する。マスタＤＢ１４には、真正のデータが記録され、外部からのデータ改竄等を防止するための高度なセキュリティ対策が講じられる。
【００１５】
看護支援システム２０は、看護支援機能を実行するサーバ３０、所期のデータを記録するテンポラリＤＢ４０、看護師などの医療スタッフにより携帯される携帯端末であるＰＤＡ７０ａ〜７０ｎ（以下、代表して「ＰＤＡ７０」とよぶ）、ＰＤＡ７０との間で無線ＬＡＮを構築してＰＤＡ７０に対してデータを送受信するアクセスポイント５０ａ〜５０ｎ（以下、代表して「アクセスポイント５０」とよぶ）、データの入出力を行うためのパーソナルコンピュータ６０ａ〜６０ｎ（以下、代表して「ＰＣ６０」とよぶ）を備える。ＰＣ６０は、据え置き型の端末であり、看護師等の医療スタッフは、ＰＣ６０が設置された場所でデータの入力やデータの参照、確認等を行う。
【００１６】
ＰＤＡ７０は、通常のＰＤＡの機能（例えばタッチパネル等によるデータの入力手段、入力されたデータに対するＣＰＵ等の処理手段、データの記憶手段、処理されたデータ等を表示する表示手段）の他に、無線ＬＡＮによりアクセスポイント５０と無線通信可能な無線ＬＡＮカードと、患者や薬剤のボトルなどに付与された識別情報の読取手段とを内蔵している。
【００１７】
識別情報の読取手段として、例えば光学的に２次元ないしは３次元の識別コードを読み込むことができる光学リーダや、ＲＦ（Radio Frequency）タグなどから電波や電磁波などで識別情報を読み取るＲＦリーダなどを備える。識別情報の読取りを可能とすることにより、このＰＤＡ７０を携帯する看護師等の医療スタッフは、その医療スタッフ自身の識別コードとなる利用者ＩＤや、看護行為を行う対象となる患者ＩＤ、注射ＩＤ等の識別情報の入力（すなわち読み取り）を正確、簡単かつ迅速に行うことができる。また、このＰＤＡ７０は、薬液に対する耐性を有する防水構造を有し、医療現場で使い易い構造にしてある。
【００１８】
既述したようにＰＤＡ７０は、無線ＬＡＮによる通信機能を有しており、アクセスポイント５０からのアクセス範囲内においては、任意の場所でサーバ３０を介して病院情報管理システム１０にアクセスして、作業内容を記述した作業予定データを取得し、その取得した作業予定データをＰＤＡ７０の表示部で表示できるようにしている。
【００１９】
看護支援システム２０は、例えば、注射等の作業予定データの登録が行われる外来システム、病棟システム、注射等の作業予定データの登録により薬剤払い出し等を行う薬剤部門システム、医療行為に対する会計処理等を行う医事システム、看護師により混注等を行うナース（ステーション）システム等に設けられる。アクセスポイント５０やＰＣ６０は、看護師が看護行為を行うナースシステム及び病棟システムに特に多く設置され、各看護師がＰＤＡ７０を携帯することにより、その看護師は、看護行為の実施場所、具体的には入院している患者のベッドサイドにまで行き、その場所で看護行為に関する入出力を行うことができる。
【００２０】
このように本実施例の病院情報システム１は、ＰＤＡ７０を効率的に利用することで、看護行為の状況をリアルタイムで記録または参照できる構成をとっている。ＰＤＡ７０を携帯した看護師は、看護行為を行う場合、その看護行為の作業予定の内容をＰＤＡ７０により確認でき、その作業予定の内容を確認してから、作業予定の看護行為を行うことができるので、実施されるべき（予定された）看護行為を正確かつ誤りの少ない状態で行うことができる。また、看護行為の実施後、その実施場所でＰＤＡ７０から看護行為の内容を容易に入力できるため、看護行為の記録を、正確かつ誤りの少ない状態で行うことができる。
【００２１】
また、ＰＤＡ７０を携帯した看護師は、看護行為を行う場合に、携帯したＰＤＡ７０を利用して任意の場所および時間に参照したり、確認することができ、看護行為を円滑に行い易い。また、ＰＤＡ７０を携帯した看護師は、作業予定内容が変更されるような場合においても、実施場所で、実施を行う直前に作業予定内容を確認することで、作業予定内容の変更にも容易に対処することができる。
【００２２】
図２は、ＰＤＡのハードウェア構成を示す図である。ＰＤＡ７０は、バスにより相互に接続された無線通信部７１、ＲＦリーダ７２、光学リーダ７３、ＣＰＵ７４、ＲＯＭ７５、ＲＡＭ７６、記憶部７７、操作入力部７８および表示部７９を有する。無線通信部７１は、ＰＤＡ７０の無線通信機能を実現し、病院内の各所に設置されているアクセスポイント５０を介した無線通信により、サーバ３０との間で、文字、画像などのデータを送受信する。
【００２３】
ＲＦリーダ７２および光学リーダ７３は、ＰＤＡ７０において、患者や薬剤などに付与された識別情報の読取手段を構成する。実施例の病院情報システム１において、患者の手首には、患者を認証するために、患者の識別情報をメモリに記録したＲＦタグ８０と、患者の識別情報を記録した識別コード８１とを貼り付けたリストバンドが巻き付けられている。また、薬剤などのボトルにも、その薬剤を認証するために、薬剤の識別情報をメモリに記録したＲＦタグ８０と、薬剤の識別情報を記録した識別コード８１とが貼り付けられている。本実施例では、ＰＤＡ７０が、ＲＦタグ８０または識別コード８１から識別情報を読み取ることで、患者や薬剤などの認証を迅速かつ確実に行うことができる。一つの対象物に付与されたＲＦタグ８０および識別コード８１のそれぞれは、同一の識別情報を記録している。なお、ＲＦタグ８０および識別コード８１の双方とも利用できない場合には、ユーザが手入力で識別情報をＰＤＡ７０に入力することは可能である。
【００２４】
ＲＦリーダ７２は、非接触式の情報読取手段であって、任意に設定可能な電波の強度に応じて数ｃｍから数ｍの範囲でＲＦタグ８０と無線通信を行うことができる。ＲＦリーダ７２は、ＲＦタグ８０に対して非接触通信によるＲＦタグ８０内のメモリからのデータ読み込みと、同メモリへのデータ書き込みが可能である。ただし本実施例では、ＲＦリーダ７２は主としてＲＦタグ８０内のメモリからの識別情報の読取りに用いられる。
【００２５】
ＲＦタグ８０は、小さいものでは４ｍｍ角程度のフレキシブルチップで構成され、薄膜樹脂で保護され、特に図示はしないが、ＣＰＵ、メモリ、アンテナ、起電回路等を備える。ＲＦリーダ７２からのラジオ周波数帯域の所定の電波ａに反応して起電回路が起電し、その起電力によりＣＰＵが動作して、メモリ内のデータｂをＲＦリーダ７２に送信する。なおＲＦタグ８０は、電池を内蔵していてもよい。
【００２６】
光学リーダ７３は、非接触式の光学式情報読取手段であり、識別コード８１を光学的に読み取ることができる。例えば、光学リーダ７３はＯＣＲ（Optical Character Reader）として構成されていてもよい。光学リーダ７３は、識別コードを光学的にスキャンし、その反射光を検出することで、識別コード８１を読み取る。
【００２７】
ＣＰＵ（Central Processing Unit）７４は、ＰＤＡ７０全体の動作制御を司る中央処理装置である。ＲＯＭ（Read Only Memory）７５は、ＣＰＵ７４によって実行される基本制御プログラムが予め格納されているメモリである。ＰＤＡ７０の起動時にＣＰＵ７４が基本制御プログラムを実行することによって、ＰＤＡ７０全体動作の基本的な制御がＣＰＵ７４によって行なわれる。
【００２８】
ＲＡＭ（Random Access Memory）７６は、記憶部７７に格納されている各種のアプリケーションプログラムをＣＰＵ７４が実行するときにワークメモリとして使用され、また各種データの一時的な格納領域として必要に応じて用いられるメインメモリとしても使用される。記憶部７７は、各種のアプリケーションプログラムやデータを記憶して保持しておくメモリである。記憶部７７としては、ＥＥＰＲＯＭ（Electrically Erasable and Programmable Read Only Memory）などの半導体メモリが適している。特に、ＥＥＰＲＯＭは、記憶内容の書換えを電気的に行うことができる上に記憶内容の保持には電力の供給が不要である点で適している。
【００２９】
操作入力部７８は、例えば表示部７９に設けられているタッチパネルや、表示部７９外の領域に設けられた操作ボタンであり、ＰＤＡ７０のユーザによって操作される。操作入力部７８は、操作された内容を検出してＣＰＵ７４へその操作内容を伝達する。例えば、患者や薬剤などに付与された識別情報は、基本的に、ＲＦリーダ７２ないしは光学リーダ７３を用いて読み取られるが、ＲＦリーダ７２および光学リーダ７３の両方が使用できない場合には、ユーザは、表示部７９に設けられたタッチパネルを操作することで、識別情報の打ち込みを行う。表示部７９は例えば液晶ディスプレイであり、ＣＰＵ７４から送られてきた各種の情報を表示してユーザに各種の情報を提供する。
【００３０】
図３は、ＰＤＡの外観構成を示す。ＰＤＡ７０は、片手で把持できる形状をとり、前面にＬＣＤ（Liquid Crystal Display）などにより構成される表示部７９を備える。既述したように、表示部７９にはタッチパネルが設けられ、ユーザは、タッチパネルを操作することで、所期の入力を可能とする。また、表示部７９の下側には、複数の操作ボタンからなる操作ボタン群８３が設けられる。
【００３１】
ＰＤＡ７０の頂部には光学リーダ７３が設けられる。また、ＰＤＡ７０の背面には、ＲＦリーダ７２が設けられる。ＲＦリーダ７２および光学リーダ７３は選択的に使用可能な状態に設定され、起動されることで患者や薬剤などに付与された識別情報を読み取る。なお、ＲＦリーダ７２および光学リーダ７３は、いずれか一方のみが使用可能な状態に設定されることとし、両者が同時に使用されることはない。
【００３２】
ユーザは、スキャンボタン８５を押すことで、使用可能な状態に設定されているＲＦリーダ７２または光学リーダ７３を、起動状態にすることができる。ＲＦリーダ７２が使用可能な状態にあるとき、ユーザは、ＰＤＡ７０の背面をＲＦタグ８０に近づけてスキャンボタン８５を押すと、ＲＦリーダ７２が起動し、ＲＦタグ８０から情報を読み取る。また、光学リーダ７３が使用可能な状態にあるとき、ユーザは、ＰＤＡ７０の先端部分を識別コード８１に近づけてスキャンボタン８５を押しながら識別コード８１の全面を放出光がスキャンするようにＰＤＡ７０の向きを変えることで、識別コード８１の情報を読み取る。なお、ＲＦリーダ７２による情報の読取方向は、背面側ではなく、ＰＤＡ７０の先端方向に設定されていてもよい。
【００３３】
ＲＦリーダ７２と光学リーダ７３の両者とも非接触式の情報読取手段として優れた手段であるが、両者を比較すると、光学リーダ７３は、光学的に識別コード８１のコード情報を読み取るために、ＲＦリーダ７２と比較して相対的に識別コード８１に近づける必要がある。また、例えば患者の手首に巻かれたリストバンドに付されている識別コード８１を読み取る際、識別コード８１が湾曲していない状態にあることが望ましいが、患者の姿勢によっては、光学リーダ７３を使用しにくい状況も発生する。一方、ＲＦリーダ７２は、無線通信により、ある程度離れた場所からＲＦタグ８０の情報を読み取ることができるため、その読取精度は、患者の姿勢などの影響を受けにくい。そこで、本実施例のＰＤＡ７０は、通常の環境下ではＲＦリーダ７２を使用可能とし、簡易な情報の読取を実現する。
【００３４】
一方で、ＲＦリーダ７２によるＲＦタグ８０からの情報の読取には電波を発生させるため、例えば、医療機器が並んでいる手術室や集中治療室（ＩＣＵ）などでは、医療機器の動作に影響を与えないように、ＲＦリーダ７２の作動を控えることが好ましい。また例えばペースメーカーを埋め込んでいる特定の患者に対しては、ＲＦリーダ７２の使用を控えることが好ましい。本実施例のＰＤＡ７０は、光学リーダ７３も備えており、ＲＦリーダ７２の使用が好ましくない場合には、医療機器の動作に影響を与えない光学リーダ７３を使用すればよい。ユーザが、使用環境や患者の状況などを適宜判断して、使用する情報読取手段をＲＦリーダ７２から光学リーダ７３に手動で切り替えることも可能である。しかしながら、この切替をユーザの判断に任せると、ユーザに負担を強いることになり、また多忙な業務の中で切替を忘れる事態が発生することも予想される。そこで、本実施例のＰＤＡ７０は、自律的に情報読取手段の切替を行う機能を有し、安全な情報読取処理を実現する。
【００３５】
図４は、本実施例のＰＤＡにおける情報読取手段の切替処理を実行するための構成を示す。図４では、図２に示したハードウェア構成に加えて、ＣＰＵ７４やＲＡＭ７６により実現されるソフトウエア的なブロック図を示している。具体的に、ＰＤＡ７０は、位置情報取得部１００、患者情報取得部１０２、機能制限部１０４および切替部１０６の機能をさらに有し、情報読取手段の切替処理を実行する。
【００３６】
まず、医療施設内におけるＰＤＡ７０の使用位置に基づいて、ＲＦリーダ７２の使用の可否を決定する例を説明する。看護師（ユーザ）は、ＰＤＡ７０の表示部７９に表示される操作画面を見ながら、看護内容の確認を行う。図５は、操作画面の画面遷移例を示す。
【００３７】
図５（ａ）は、ＰＤＡ７０の電源をＯＮした直後に表示される起動画面２００である。タッチパネルで構成される表示部７９には、ＰＤＡ７０のＬｏｇｉｎアイコン１５０が表示される。
【００３８】
ユーザがＬｏｇｉｎアイコン１５０を選択すると、図５（ｂ）に示すログイン画面２０２が表示部７９に表示される。このログイン画面２０２において、ユーザは、表示部７９に表示されている入力キー１５４を用いて、利用者ＩＤとパスワードを入力する。入力した利用者ＩＤとパスワードは、確定キー１５５が押下されると、無線通信部７１からアクセスポイント５０に送信され、看護支援システム２０に送られる。看護支援システム２０は、利用者ＩＤおよびパスワードの認証を行う。
【００３９】
ユーザの認証に成功すると、表示部７９の表示画面は、図５（ｃ）に示す勤務帯選択画面２０４に遷移する。画面上部には、ログインしたユーザの氏名とユーザに割り当てられたコードが表示され、画面中央部には勤務帯の選択画面が表示される。勤務帯は、例えば深夜帯０：３０〜９：００、日勤帯８：３０〜１７：００、準夜帯１６：３０〜０１：００としているが、時間幅は、設定により変更可能である。本実施例では、ユーザがログインした時刻を含む勤務帯が中央にデフォルトの選択状態で表示され、その前後に他の２つの勤務帯が表示される。ユーザは、勤務帯を選択して確定キー１５６を押下することにより、選択した勤務帯の作業予定データの取得が可能となる。なお、勤務時間帯に重複部分が存在するのは業務の引き継ぎ等を考慮しているためである。
【００４０】
勤務時間帯の選択を行うと、図５（ｄ）に示すように、病棟一覧画面２０６が表示される。ユーザが、看護行為を実施する病棟の選択キー１５８を選択し、確定キー１５７を押下すると、ＰＤＡ７０は、ログインしているユーザの情報と、勤務時間帯、病棟情報などをサーバ３０に送信する。サーバ３０はＰＤＡ７０からの送信を受け、さらに病院情報管理システム１０にアクセスして、選択された勤務時間帯および病棟における看護対象となる患者の情報を検索取得する。
【００４１】
取得された患者情報は、サーバ３０からＰＤＡ７０に送信され、図５（ｅ）に示すように、患者一覧画面２０８がＰＤＡ７０の表示部７９に表示される。図５（ｅ）の例では、「１Ｆ北」病棟が選択され、「１Ｆ北」病棟の患者４名がユーザの担当患者であることが示される。患者一覧画面２０８では、例えば、患者に付与された患者ＩＤ１６０と患者氏名１６２が表示される。
【００４２】
本実施例において、図５（ｄ）に示す病棟一覧画面２０６において病棟情報が指定されると、図５（ｅ）に示す患者一覧画面２０８の入力モード切替キー１６４の表示領域において、その病棟において使用可能な識別情報読取手段が示される。既述したように、ＲＦリーダ７２が使用可能であれば、ＲＦリーダ７２が優先的に使用可能な識別情報読取手段として選択される。一方、ＲＦリーダ７２が使用不可の状態にあれば、代わりに光学リーダ７３が使用可能な識別情報読取手段として選択される。図５（ｅ）に示す患者一覧画面２０８では、入力モード切替キー１６４に「ＲＦ」と表示され、ＲＦリーダ７２が使用可能であることが表示される。なお、入力モード切替キー１６４を押下すると、使用可能な識別情報読取手段が切り替り、すなわち光学リーダ７３が使用可能な状態となる。このとき、入力モード切替キー１６４には、「光学」と表示される。このように、入力モード切替キー１６４は、現在使用可能な識別情報読取手段を表示するとともに、押下されることで識別情報読取手段を切り替える機能を有している。
【００４３】
図６は、選択された病棟に応じて、ＲＦリーダの使用可否を判定する手順を示すフローチャートである。図４を参照して、ユーザは、タッチパネルである操作入力部７８を操作して勤務帯を選択し（Ｓ１０）、続いて病棟を選択する（Ｓ１２）。勤務帯および病棟の選択は、図５（ｃ）および図５（ｄ）に示した操作画面から行われる。操作入力部７８により病棟が選択されると、選択された病棟情報は、位置情報取得部１００に送られる。これにより、位置情報取得部１００は、ＰＤＡ７０が使用される位置情報、ここでは使用される病棟情報を取得する。位置情報取得部１００は、取得した病棟情報を機能制限部１０４に送る。
【００４４】
記憶部７７は、ＰＤＡ７０が利用される病院施設内の位置情報とＲＦリーダ７２の使用可否情報とを対応付けた参照テーブルを保持している。ＲＡＭ７６は、記憶部７７から参照テーブルを読み出し、機能制限部１０４に供給する。
【００４５】
図７は、参照テーブルの一例を示す。参照テーブルでは、病院施設内の各病棟に対して、ＲＦリーダ７２の使用可否を示す情報が対応付けられて記録されている。使用可否情報はフラグとして設定され、ビット値１は使用可能であることを、ビット値０は使用不可であることを示す。示されるように、「５Ｆ東」病棟、「ＮＩＣＵ」病棟、「６Ｆ西」病棟、「ＩＣＵ」病棟の４つの病棟に対してビット値０が割り当てられている。したがって、ＰＤＡ７０を使用する病棟として、これらの４つの病棟のいずれかが選択された場合には、ＲＦリーダ７２の機能が制限される。
【００４６】
機能制限部１０４は、図７に示す参照テーブルを参照して、位置情報取得部１００において取得された位置情報、ここではユーザにより選択入力された病棟情報に応じて、ＲＦリーダ７２の機能を制限する。具体的に機能制限部１０４は、参照テーブルにおいて、取得された病棟情報に対応付けられた使用可否情報のビット値が０である場合に、ＲＦリーダ７２の機能を制限する。参照テーブルを利用することで、ＲＦリーダ７２の使用の可否を病棟ごとに確実に管理することが可能となる。
【００４７】
本実施例では、ＲＦリーダ７２の機能の全てを制限すること、すなわちＲＦリーダ７２を使用不可の状態にすることで、ＲＦリーダ７２の機能を制限する。なお、それよりも軽度な機能制限として、例えばＲＦリーダ７２から発生する電波強度を下げて、ＲＦタグ８０と通信可能な距離を短くしてもよい。これにより、周辺機器への電波の影響を低減させることが可能となる。
【００４８】
すなわち、機能制限部１０４は、選択された病棟がＲＦリーダ７２の使用を許可しない病棟であれば（Ｓ１６のＮ）、ＲＦリーダ７２を使用不可の状態に設定し、光学リーダ７３を使用可能な状態に設定する（Ｓ２０）。機能制限部１０４は、この状態設定の指示を切替部１０６に送る。切替部１０６は、この状態設定指示を受けると、図５（ｅ）の入力モード切替キー１６４の表示を「光学」に設定し、ＲＦリーダ７２の使用を禁止する。一方、機能制限部１０４は、選択された病棟がＲＦリーダ７２を使用を許可する病棟であれば（Ｓ１６のＹ）、ＲＦリーダ７２を使用可能な状態に設定する（Ｓ１８）。機能制限部１０４は、この状態設定の指示を切替部１０６に送る。切替部１０６は、この状態設定指示を受けて、図５（ｅ）の入力モード切替キー１６４の表示を「ＲＦ」に設定する。
【００４９】
ユーザは、図５（ｅ）の入力モード切替キー１６４を押下することで、識別情報読取手段を切り替えることができる。切替部１０６は、入力モード切替キー１６４の押下を受けて、ＲＦリーダ７２から光学リーダ７３へ、また光学リーダ７３からＲＦリーダ７２へ、使用可能な識別情報読取手段を切り替える。
【００５０】
ユーザが入力モード切替キー１６４を押下したとき、切替部１０６は、機能制限部１０４から送られる状態設定指示に従い、識別情報読取手段の切り替え処理を行う。機能制限部１０４によりＲＦリーダ７２が使用不可の状態に設定されているとき、切替部１０６は、光学リーダ７３を使用可能な状態に設定している。この状態で入力モード切替キー１６４の押下をユーザから受け付けても、切替部１０６は、ＲＦリーダ７２を使用可能な状態には切り替えない。機能制限部１０４によりＲＦリーダ７２の機能制限が解除されるまで、ＲＦリーダ７２は使用不可の状態に設定され、これを受けて、切替部１０６は、ＲＦリーダ７２を使用可能な状態に設定しない。このように、ユーザからの切替指示を必要な場合には無視することで、ＲＦリーダ７２が周辺の医療機器に影響を与える状況を回避でき、安全なＰＤＡ７０の運用を実現できる。
【００５１】
図６のフローチャートに示すように、本実施例のＰＤＡ７０は、使用される病棟によって、ＲＦリーダ７２の使用可否を判定される。しかしながら、ＰＤＡ７０を携帯したユーザが、図５（ｄ）の病棟一覧画面２０６で選択した病棟から別の病棟に移動する場合や、特別に医療機器が設置された部屋に入室するような場合には、リアルタイムに現在位置を確認して、その現在位置においてＲＦリーダ７２が使用可能であるか否かを判定することが好ましい。
【００５２】
図８は、ＰＤＡの現在位置に応じて、ＲＦリーダの使用可否を判定する手順を示すフローチャートである。図４を参照して、無線通信部７１が、周辺に配置されたアクセスポイント５０からの信号強度を検出する。複数のアクセスポイント５０からの信号を受信している場合には、例えば、信号強度の強い順に３つのアクセスポイント５０からの信号強度を検出する。３つのアクセスポイント５０からの信号強度は、そのアクセスポイント５０の識別情報に対応づけられて位置情報取得部１００に送られる。全てのアクセスポイント５０が同一の電波強度で送信を行っている場合、位置情報取得部１００は、３つの信号強度の相対値から、ＰＤＡ７０の現在位置を割り出す。なお、３つ以上の発信源から現在位置を測定する手法は、例えばＧＰＳでも利用されているように既知の技術である。このように位置情報取得部１００は、現在位置の位置情報を取得する（Ｓ３０）。取得した位置情報は、機能制限部１０４に送られる。
【００５３】
ＲＡＭ７６は、病棟においてＲＦリーダ７２の使用禁止エリアを設定したマップを保持している。例えば、病棟の特定の部屋に医療機器が臨時で設置されるような場合、その設置情報が病院情報管理システム１０において管理される。設置された医療機器がＲＦリーダ７２からの電波による影響をうけるものである場合には、病院情報管理サーバ１２が、その部屋をＲＦリーダ７２の使用禁止エリアとして設定したマップを生成する。ＰＤＡ７０は、無線通信部７１からこのマップを受信し、ＲＡＭ７６に格納する。
【００５４】
図９は、病棟におけるＲＦリーダ７２の使用禁止エリアを説明するための説明図である。この病棟には、１２個の部屋Ａ〜部屋Ｌが配置され、部屋Ａと部屋Ｂとが、使用禁止エリア５４として設定されている。このことは、この病棟内において、部屋Ａと部屋ＢにおいてＲＦリーダ７２の使用が禁止されることを示す。この病棟には、６つのアクセスポイント５０ｐ、５０ｑ、５０ｒ、５０ｓ、５０ｔ、５０ｕとが設置されている。病棟内における使用禁止エリア５４および使用可能エリアは、マップとして病院情報管理サーバ１２にて生成される。
【００５５】
機能制限部１０４は、ＲＡＭ７６からマップを読み出し、位置情報取得部１００から送られる現在位置情報とマップとを比較する（Ｓ３２）。ＰＤＡ７０の現在位置が使用禁止エリア５４内にあるとき（Ｓ３４のＮ）、機能制限部１０４は、ＲＦリーダ７２の機能を制限する。本実施例では、ＲＦリーダ７２を使用不可の状態に設定することで、ＲＦリーダ７２の機能を制限する（Ｓ３８）。なお、それよりも軽度な機能制限として、例えばＲＦリーダ７２から発生する電波強度を下げて、ＲＦタグ８０との通信可能な距離を短くしてもよい。これにより、周辺機器への電波の影響を低減させることが可能となる。また、このとき、ＲＦリーダ７２の代わりに、光学リーダ７３を使用可能な状態に設定する。
【００５６】
一方、ＰＤＡ７０の現在位置が使用禁止エリア５４の外にあるとき（Ｓ３４のＹ）、機能制限部１０４は、ＲＦリーダ７２を使用可能な状態に設定する（Ｓ３６）。なお、図６のフローチャートに示したように、ＰＤＡ７０がＲＦリーダ７２を使用できない病棟に存在するときには、ＲＦリーダ７２は使用不可の状態に維持される。そのため、ＰＤＡ７０がＲＦリーダ７２を使用可能な病棟に存在する場合に、図８に示した判定処理が実行されてもよい。なお、図８に示した判定処理は、現在位置情報に基づいて実行するため、リアルタイムな判定に優れている。したがって、図６に示した判定処理をログイン時に実行した後、周期的に図８に示す判定処理を実行することで、ＲＦリーダ７２の使用可否の判定を状況に応じて効率的に実現できる。なお、図６に示した判定処理を省略して、図８に示した判定処理を単独で実行することも可能である。
【００５７】
次に、患者の状態に応じて、ＲＦリーダ７２の使用の可否を判定する方法を説明する。患者の状態に応じた判定処理は、上記した位置情報に応じた判定処理とともに実行されてもよいが、単独で実行されてもよい。
図１０は、患者の状態に応じて、ＲＦリーダの使用可否を判定する手順を示すフローチャートである。図４を参照して、ユーザは、図５（ｅ）に示す患者一覧画面２０８を見ながら、操作入力部７８より患者を選択する（Ｓ５０）。選択した患者の情報は、無線通信部７１よりアクセスポイント５０を介して病院情報管理システム１０に送信される。病院情報管理サーバ１２は、選択された患者に対して設定されている作業予定データをマスタＤＢ１４から検索し、サーバ３０を介してＰＤＡ７０に対して送信する。
【００５８】
このとき、病院情報管理サーバ１２は、その患者のプロファイル情報も、オーダとともにＰＤＡ７０に対して送信する。患者プロファイル情報には、患者の身体的特徴などが記述されている。
【００５９】
図１１は、患者プロファイル情報のフォーマットを示す。患者プロファイル情報には、ＲＦタグ判定可否情報と、身体的特徴の２つの項目が設定されている。
「ＲＦタグ判定可否情報」は、ＲＦリーダ７２の使用の可否を設定したフラグである。値「０」は、ＲＦリーダ７２の使用が許可されていることを示し、値「１」は、ＲＦリーダ７２の使用が不許可であることを示す。
「身体的特徴」は、患者の身体的特徴が示されている。値「０」は、通常の身体的特徴を有していることを示し、値「１」は、ペースメーカなどの医療機器を装着していることを示し、値「２」は、急患などで医療機器の装着が不明であることを示す。例えば、意識不明の状態で運ばれてきた急病患者には、値「２」が割り当てられる。
【００６０】
無線通信部７１が、作業予定データおよび患者プロファイル情報を受信すると、患者情報取得部１０２が、患者プロファイル情報を取得する（Ｓ５２）。患者情報取得部１０２は、患者プロファイル情報を機能制限部１０４に通知する。機能制限部１０４は、患者プロファイル情報を参照して、「ＲＦタグ判定可否情報」の値が「０」であり、且つ「身体的特徴」の値が「０」であるときに、ＲＦリーダ７２の使用が可能であることを判定する（Ｓ５４のＹ）。このとき、機能制限部１０４は、ＲＦリーダ７２を使用可能な状態に設定し（Ｓ５６）、この状態設定の指示を切替部１０６に送る。
【００６１】
一方、機能制限部１０４は、患者プロファイル情報を参照して、「ＲＦタグ判定可否情報」の値が「１」であり、または「身体的特徴」の値が「１」ないしは「２」であるときに、ＲＦリーダ７２の使用が不可であることを判定する（Ｓ５４のＮ）。このとき、機能制限部１０４は、ＲＦリーダ７２を使用不可の状態に設定し、光学リーダ７３を使用可能な状態に設定する（Ｓ５８）。機能制限部１０４は、この状態設定の指示を切替部１０６に送る。切替部１０６は、この状態設定指示を受けて、図５（ｅ）の入力モード切替キー１６４の表示を「光学」に設定し、ＲＦリーダ７２の使用を禁止する。
【００６２】
以上、本発明を実施例をもとに説明した。この実施例はあくまで例示であり、それらの各構成要素や各処理プロセスの組合せにいろいろな変形例が可能なこと、またそうした変形例も本発明の範囲にあることは当業者に理解されるところである。
【００６３】
既述したように、図６に示した判定処理をログイン時に実行した後、図８に示す判定処理を周期的に実行することで、ＲＦリーダ７２の使用可否の判定を状況に応じて効率的に実現することができるが、さらに図１０に示す患者のプロファイル情報を用いた判定処理を併せて行ってもよい。ＰＤＡ７０の位置情報に基づいたＲＦリーダ７２の使用可否の判定だけでなく、患者の状態も加味してＲＦリーダ７２の使用可否の判定を行うことで、高い安全性に配慮したＲＦリーダ７２の使用環境を実現できる。
【００６４】
図６、図８および図１０に示した３種類の判定処理を組み合わせることで、ＲＦリーダ７２の使用に関する高度な安全性を担保できるが、このうちの２種類の判定処理を組み合わせることでも、病院施設内における安全性に配慮したＲＦリーダ７２の使用環境を実現できる。例えば、図６に示す判定処理と図１０に示す判定処理を組み合わせることで、ＲＦリーダ７２を使用可能な病棟であっても、ペースメーカを埋め込んでいる患者に対してＲＦリーダ７２を使用する状況を回避できるとともに、看護対象となる患者がＲＦリーダ７２を使用可能な通常の患者であっても、ＲＦリーダ７２の使用に適切でない病棟でのＲＦリーダ７２の使用を回避できる。
【００６５】
また、図８に示す判定処理と図１０に示す判定処理を組み合わせることで、ＲＦリーダ７２を使用可能なエリアであっても、例えばペースメーカを埋め込んでいる患者に対してＲＦリーダ７２を使用する状況を回避できるとともに、看護対象となる患者がＲＦリーダ７２を使用可能な通常の患者であっても、ＲＦリーダ７２の使用に適切でないエリアでのＲＦリーダ７２の使用を回避できる。
【００６６】
また実施例においては、ＲＦリーダ７２の使用可否の判定処理について説明したが、例えば光学リーダ７３についても使用可否の判定処理を行ってもよい。光学リーダ７３は、光学的に識別コード８１を読み取るために、レーザ光などを発生する。そのため、患者が就寝中の夜間の使用は好ましいとはいえない。そこで、例えば就寝時間においては、機能制限部１０４が、光学リーダ７３の機能を制限してもよい。この観点から、例えば、患者が目の病気を患っている場合に、患者プロファイル情報の身体的特徴にその旨を記述し、その患者には光学リーダ７３の使用を制限するようにしてもよい。このように、ＲＦリーダ７２および光学リーダ７３は、それぞれ情報の読取技術に特徴を有しているため、それぞれの特徴を活かすように選択的に使い分けることで、ＰＤＡ７０の使い勝手をさらに向上することが可能となる。
【図面の簡単な説明】
【００６７】
【図１】本発明の実施例にかかる病院情報システムの構成を示す図である。
【図２】ＰＤＡのハードウェア構成を示す図である。
【図３】ＰＤＡの外観構成を示す図である。
【図４】本実施例のＰＤＡにおける情報読取手段の切替処理を実行するための構成を示す図である。
【図５】操作画面の画面遷移例を示す図である。
【図６】選択された病棟に応じて、ＲＦリーダの使用可否を判定する手順を示すフローチャートである。
【図７】参照テーブルの一例を示す図である。
【図８】ＰＤＡの現在位置に応じて、ＲＦリーダの使用可否を判定する手順を示すフローチャートである。
【図９】病棟におけるＲＦリーダの使用禁止エリアを説明するための説明図である。
【図１０】患者の状態に応じて、ＲＦリーダの使用可否を判定する手順を示すフローチャートである。
【図１１】患者プロファイル情報のフォーマットを示す図である。
【符号の説明】
【００６８】
１・・・病院情報システム、１０・・・病院情報管理システム、１２・・・病院情報管理サーバ、１４・・・マスタＤＢ、１６・・・ＬＡＮ３０、２０・・・看護支援システム、３０・・・サーバ、４０・・・テンポラリＤＢ、５０・・・アクセスポイント、５４・・・使用禁止エリア、６０・・・ＰＣ、７０・・・ＰＤＡ、７１・・・無線通信部、７２・・・ＲＦリーダ、７３・・・光学リーダ、７４・・・ＣＰＵ、７５・・・ＲＯＭ、７６・・・ＲＡＭ、７７・・・記憶部、７８・・・操作入力部、７９・・・表示部、８０・・・ＲＦタグ、８１・・・識別コード、８３・・・操作ボタン群、８５・・・スキャンボタン、１００・・・位置情報取得部、１０２・・・患者情報取得部、１０４・・・機能制限部、１０６・・・切替部、１６４・・・入力モード切替キー。
【図１】
2006268585.tif 000003
【図２】
2006268585.tif 000004
【図３】
2006268585.tif 000005
【図４】
2006268585.tif 000006
【図５】
2006268585.tif 000007
【図６】
2006268585.tif 000008
【図７】
2006268585.tif 000009
【図８】
2006268585.tif 000010
【図９】
2006268585.tif 000011
【図１０】
2006268585.tif 000012
【図１１】
2006268585.tif 000013